(57)【要約】      （修正有）【課題】小学生児童から大人まで年代を問わず、各種受験生のストレスを解消すると共に手軽にやる気にさせる文房具グッズとしての消しゴムを提供する。【解決手段】キャラクターを模して形成された消しゴム本体１１と、有意な文字１５を記載した帯体１２とを備えた。【選択図】図１
0003182340.tif 000002
【実用新案登録請求の範囲】
【請求項１】
キャラクターを模して形成された消しゴム本体と、有意な文字を記載した帯体とを備えたことを特徴とする消しゴム。
【請求項２】
上記消しゴム本体は動物を模して形成されていることを特徴とする請求項  １記載の消しゴム。
【請求項３】
上記帯体は、鉢巻、ベルト又はたすきであることを特徴とする請求項２記載の消しゴム。
【考案の詳細な説明】
【技術分野】
【０００１】
本考案は、消しゴムに関し、特に、動物を模して形成されたキャラクター消しゴムに関する。
【背景技術】
【０００２】
従来より、低学年の児童用に、動物や漫画の主人公等のキャラクターの形状に模した消しゴムを形成しうるように構成した考案も存在する（特許文献１）。
このような、いわゆるキャラクター消しゴムは、人気のあるキャラクターを模机の上で鑑賞しつつ同時に消しゴムとして使用することができることから人気がある。
【０００３】
一方、近年、小学生であっても、私立中学を受験する人数も増えており、受験勉強をする際や、実際に受験する際のストレスも大きいものと考えられる。
このような社会環境から、従来より、机に向かって受験勉強をする際に、受験のストレスを解消できると共に容易に勉強への意欲を奮い立たせ、やる気にさせるグッズが要請されていた。
【０００４】
なお、このような事情は、特に、受験を控えていない中学生、高校生及び大学生、もしくは、同様の受験生一般、さらには各種受験を控えた社会人であっても同様であり、手軽に、机の上において愛玩できると共に、勉強をやる気にさせる文房具へのニーズがあった。
【特許文献１】特開２０１０−１３１８１９号公報
【考案の開示】
【考案が解決しようとする課題】
【０００５】
本考案はこのような従来からの不具合を解決するためのものであって、その課題は、小学生児童から大人まで年代を問わず、各種受験生のストレスを解消すると共に手軽にやる気にさせる文房具グッズとしての消しゴムを提供することにある。
【課題を解決するための手段】
【０００６】
上記課題達成のため、請求項１記載の考案に係る消しゴムは、キャラクターを模して形成された消しゴム本体と、有意な文字を記載した帯体とを備えたことを特徴とする。この場合、「有意な文字」とは、例えば、「必勝」や「絶対合格」等の文字である。
【０００７】
請求項２記載の考案にあっては、上記消しゴム本体は動物を模して形成されていることを特徴とする。
「動物を模したキャラクター」とは、例えば、うさぎ、ヘビ、パンダ、馬、クマ等、子供に人気のある動物をデフォルメしたキャラクターである。
【０００８】
請求項３記載の考案にあっては、上記帯体は、鉢巻、ベルト又はたすきであることを特徴とする。
【考案の効果】
【０００９】
請求項１記載の考案に係る消しゴムはキャラクターを模して形成された消しゴム本体と、「必勝」、「絶対合格」等の有意な文字を記載した帯体とを備えたものであることから、特に、購入した小学生、中学生、高校生等の受験生は、勉強の際には、本考案に係る消しゴムを机の上で使用することにより、愛玩の対象となるキャラクターを見ることにより、心和ませることにより受験へのストレスを緩和させることができると共に、帯体上に記載された「必勝」、「絶対合格」等の文字を見ることにより勉学へのやる気を鼓舞される。
【００１０】
また、上記小学生、中学生、高校生以外の大学生や大人であっても、広く各種の試験を受験する受験生である場合には、請求項１に係る消しゴムを使用することにより、同様に、愛玩の対象となるキャラクターを見ることにより、心和むと共に、帯体上に記載された「必勝」、「絶対合格」等の文字を見ることにより勉学へのやる気を鼓舞される。
【００１１】
請求項２記載の考案にあっては、上記キャラクターは動物を模して形成されていることから、購入者は動物のキャラクターを身近に置くことにより常にリラックスすることができる。
【００１２】
請求項３記載の考案にあっては、上記帯体は、鉢巻、ベルト又はたすきであることから、愛玩の対象となるキャラクターが鉢巻等を身に着けているため、そのアンバランスが非常に新鮮であり、より趣向性を高めることができる。
【図面の簡単な説明】
【００１３】
【図１】本考案に係るキャラクター消しゴムの一実施の形態を示す斜視図である。
【図２】本考案に係るキャラクター消しゴムの他の実施の形態を示す斜視図である。
【図３】本考案に係るキャラクター消しゴムの他の実施の形態を示す斜視図である。
【考案を実施するための最良の形態】
【００１４】
以下、添付図面に示す実施の形態に基づき、本考案を詳細に説明する。
図１に示すように、本実施の形態に係る消しゴム１０は、キャラクターとしてデフォルメされ、ウサギを模して形成された消しゴム本体１１と、有意な文字としての「必勝」を記載した、帯体として頭部に巻かれた鉢巻１２とを有している。
【００１５】
上記消しゴム本体１１は、ＳＢＳ（スチレン・ブタジエン）エラストマー樹脂による型成型により作成される。本実施の形態にあっては、頭部１３及びボディ部１４を別箇に形成し、ボディ部１４に設けられた凹部（図示せず）に頭部１３の差し込み部（図示せず）を嵌入することにより形成されている。また、
上記のように素材としてＳＢＳ（スチレン・ブタジエン）エラストマー樹脂が採用されていることから、消しゴム本体１１の表面には、体毛を表現する微細な皺が形成され非常に繊細な仕上げが可能になっている。
【００１６】
本実施の形態にあっては、頭部１３には、細長いベルト状の鉢巻１２が装着されている。鉢巻１２は、裏面側に粘着剤が塗布された合成樹脂製の布材により形成されており、粘着剤により頭部１３に固定されている。そして、本実施の形態にあっては、鉢巻１２の中央には「必勝」の文字１５が印刷されている。
【００１７】
従って、本実施の形態に係る消しゴム１０を、特に、小学生の児童や、中学生、高校生、大学生等、また、大人であっても各種の試験を控える受験生等が購入して使用した場合には、消しゴム本体１１は、詳細にウサギを模して形成されており、デフォルメされているが非常に精巧に作られていることから、見る者の心を和ませる。
さらに、頭部には「必勝」と書かれた鉢巻が装着されていることから、そのアンバランスな体裁に見るもの誰しもが心を和ませると共に、試験の勉強へのやる気を起こさせ、自分を鼓舞することができる。
【００１８】
その結果、児童、学生、大人の如何を問わず、使用者は常に机の上において、鑑賞しつつ使用したり、もしくは常時持ち歩いて使用する。
なお、本実施の形態にあっては、消しゴム本体１１の頭部１３に鉢巻１２を装着している場合を例に説明したが、本実施の形態に限定されず、図２に示すように、帯体を首から下げるストラップ１８として形成すると共に、ストラップ１８により金メダル１９を下げ、金メダル１９であることを示す有意な文字として「金」の文字２０を描いてもよい。
【００１９】
図２のように構成した場合には、消しゴム１０は、ウサギを模したキャラクターからなる消しゴム本体１１が金メダル１９を保持しているかのような外観を呈することから、見る者をしてオリンピック等における優勝者を彷彿とさせ、前記実施の形態の場合とは別の趣向を楽しむことができる。
【００２０】
さらに、図３に示すように、帯体を肩から斜めにかけて、たすき１７として装着してもよい。本実施の形態にあっては、有意な文字として「絶対合格」の文字１５が記載されている。いずれも、鉢巻１２とは異なった趣向を楽しむことができる。
【００２１】
さらに、本実施の形態にあっては、消しゴム本体がウサギを模して形成されている場合を例に説明したが、本実施の形態に限定されず、他の動物、例えば、パンダ、ハムスター、馬、クマ、ヘビ等の愛玩性の高い動物であってもよい。
【００２２】
また、本実施の形態にあっては、消しゴム本体１１の素材としてＳＢＳ（スチレン・ブタジエン）エラストマー樹脂が採用されているが、ＳＢＳに限らず、例えば、ポリ塩化ビニルを素材としてフタル酸系可塑剤を添加して固形化したものであってもよい。
【産業上の利用可能性】
【００２３】
本考案は広く消しゴムに適用することができることから、産業上の利用可能性を有している。
【符号の説明】
【００２４】
１０  消しゴム
１１  消しゴム本体
１２  鉢巻
１３  頭部
１４  ボディ部
１５  文字
１６  ベルト
１７  たすき
１８  ストラップ
１９  金メダル
２０  金の文字
【図１】
0003182340.tif 000003
【図２】
0003182340.tif 000004
【図３】
0003182340.tif 000005